【手続補正書】
【提出日】平成21年4月17日(2009.4.17)
【手続補正１】
【補正対象書類名】特許請求の範囲
【補正対象項目名】全文
【補正方法】変更
【補正の内容】
【特許請求の範囲】
【請求項１】
撮像装置、又は、前記撮像装置によって撮像された画像を記録する記録装置から、ネットワークを介して取得された画像を再生することが可能な画像再生装置において、
前記取得された画像を再生するための画面上の領域の位置情報と、前記領域上に再生表示される画像を撮像した撮像装置を示す情報および前記再生表示すべき画像の撮像時刻情報とを関連付けたレイアウト情報を記憶する記憶手段から前記レイアウト情報を読み出す読み出し手段と、
前記読み出し手段によって読み出されたレイアウト情報の撮像時刻情報が特定の時刻を示している場合、前記読み出されたレイアウト情報の前記撮像装置の情報が示す撮像装置によって撮像された画像を記録する記録装置から、再生表示すべき画像を取得し、前記読み出し手段によって読み出されたレイアウト情報の撮像時刻情報が現在を示している場合、前記読み出されたレイアウト情報の前記撮像装置の情報が示す撮像装置から再生表示すべき画像を取得する取得手段と、
前記読み出し手段によって読み出されたレイアウト情報の位置情報に基づいて、前記画面上の領域に前記取得手段によって取得された画像を再生表示させる制御手段とを有することを特徴とする画像再生装置。
【請求項２】
前記読み出し手段は、周辺の状態変化が検知された撮像装置から取得された画像が、周辺の状態変化が検知されていない撮像装置から取得された画像よりも大きく表示されるレイアウト情報を読み出すことを特徴とする請求項１に記載の画像再生装置。
【請求項３】
前記読み出し手段は、撮像装置の周辺の状態変化の検知時刻又は当該検知時刻の一定時間前の時刻に対応する撮像時刻情報を有するレイアウト情報を読み出すことを特徴とする請求項１に記載の画像再生装置。
【請求項４】
前記制御手段は、前記記憶手段によって記憶された複数のレイアウト情報からレイアウト情報を選択するためのメニュー画面を表示し、
前記読み出し手段は、前記メニュー画面に表示された複数のレイアウト情報から選択されたレイアウト情報を読み出すことを特徴とする請求項１に記載の画像再生装置。
【請求項５】
前記記憶手段は、周辺の状態変化が検知された第１の撮像装置に関連する第２の撮像装置の情報を記憶し、
前記読み出し手段は、前記周辺の状態変化が検知された前記第１の撮像装置から取得された画像、及び、前記第２の撮像装置から取得された画像が再生表示され、前記第１の撮像装置に関連しない第３の撮像装置からの画像が再生表示されないレイアウト情報を読み出すことを特徴とする請求項１に記載の画像再生装置。
【請求項６】
撮像装置、又は、撮像装置によって撮像された画像を記録する記録装置から、ネットワークを介して取得された画像を再生することが可能な画像再生装置の画像再生方法であって、
前記取得された画像を再生するための画面上の領域の位置情報と、前記領域に再生される画像を撮像した撮像装置を示す情報および前記再生すべき画像の撮像時刻情報とを関連付けたレイアウト情報を記憶する記憶手段から前記レイアウト情報を読み出す読み出しステップと、
前記読み出しステップによって読み出されたレイアウト情報の撮像時刻情報が特定時刻を示している場合、前記読み出されたレイアウト情報の前記撮像装置の情報が示す撮像装置によって撮像された画像を記録する記録装置から、再生表示すべき画像を取得し、前記読み出しステップによって読み出されたレイアウト情報の撮像時刻情報が現在を示している場合、前記読み出されたレイアウト情報の前記撮像装置の情報が示す撮像装置から再生表示すべき画像を取得する取得ステップと、
前記読み出しステップによって読み出されたレイアウト情報の位置情報に基づいて、前記画面上の領域に前記取得ステップによって取得された画像を再生表示させる制御ステップとを有することを特徴とする画像再生装置の画像再生方法。
【請求項７】
撮像装置、又は、前記撮像装置によって撮像された画像を記録する記録装置から、ネットワークを介して取得された画像を再生することが可能なコンピュータに、
前記取得された画像を再生するための画面上の領域の位置情報と、前記領域上に再生表示される画像を撮像した撮像装置を示す情報および前記再生表示すべき画像の撮像時刻情報とを関連付けたレイアウト情報を記憶する記憶手段から前記レイアウト情報を読み出す読み出し手順と、
前記読み出し手順によって読み出されたレイアウト情報の撮像時刻情報が特定の時刻を示している場合、前記読み出されたレイアウト情報の前記撮像装置の情報が示す撮像装置によって撮像された画像を記録する記録装置から、再生表示すべき画像を取得し、前記読み出し手順によって読み出されたレイアウト情報の撮像時刻情報が現在を示している場合、前記読み出されたレイアウト情報の前記撮像装置の情報が示す撮像装置から再生表示すべき画像を取得する取得手順と、
前記読み出し手順によって読み出されたレイアウト情報の位置情報に基づいて、前記画面上の領域に前記取得手順によって取得された画像を再生表示させる制御手順とを実行させるためのプログラム。
【手続補正２】
【補正対象書類名】明細書
【補正対象項目名】０００７
【補正方法】変更
【補正の内容】
【０００７】
本発明の画像再生装置は、撮像装置、又は、前記撮像装置によって撮像された画像を記録する記録装置から、ネットワークを介して取得された画像を再生することが可能な画像再生装置において、前記取得された画像を再生するための画面上の領域の位置情報と、前記領域上に再生表示される画像を撮像した撮像装置を示す情報および前記再生表示すべき画像の撮像時刻情報とを関連付けたレイアウト情報を記憶する記憶手段から前記レイアウト情報を読み出す読み出し手段と、前記読み出し手段によって読み出されたレイアウト情報の撮像時刻情報が特定の時刻を示している場合、前記読み出されたレイアウト情報の前記撮像装置の情報が示す撮像装置によって撮像された画像を記録する記録装置から、再生表示すべき画像を取得し、前記読み出し手段によって読み出されたレイアウト情報の撮像時刻情報が現在を示している場合、前記読み出されたレイアウト情報の前記撮像装置の情報が示す撮像装置から再生表示すべき画像を取得する取得手段と、前記読み出し手段によって読み出されたレイアウト情報の位置情報に基づいて、前記画面上の領域に前記取得手段によって取得された画像を再生表示させる制御手段とを有することを特徴とする。
本発明の画像再生装置の画像再生方法は、撮像装置、又は、撮像装置によって撮像された画像を記録する記録装置から、ネットワークを介して取得された画像を再生することが可能な画像再生装置の画像再生方法であって、前記取得された画像を再生するための画面上の領域の位置情報と、前記領域に再生される画像を撮像した撮像装置を示す情報および前記再生すべき画像の撮像時刻情報とを関連付けたレイアウト情報を記憶する記憶手段から前記レイアウト情報を読み出す読み出しステップと、前記読み出しステップによって読み出されたレイアウト情報の撮像時刻情報が特定時刻を示している場合、前記読み出されたレイアウト情報の前記撮像装置の情報が示す撮像装置によって撮像された画像を記録する記録装置から、再生表示すべき画像を取得し、前記読み出しステップによって読み出されたレイアウト情報の撮像時刻情報が現在を示している場合、前記読み出されたレイアウト情報の前記撮像装置の情報が示す撮像装置から再生表示すべき画像を取得する取得ステップと、前記読み出しステップによって読み出されたレイアウト情報の位置情報に基づいて、前記画面上の領域に前記取得ステップによって取得された画像を再生表示させる制御ステップとを有することを特徴とする。
本発明のプログラムは、撮像装置、又は、前記撮像装置によって撮像された画像を記録する記録装置から、ネットワークを介して取得された画像を再生することが可能なコンピュータに、前記取得された画像を再生するための画面上の領域の位置情報と、前記領域上に再生表示される画像を撮像した撮像装置を示す情報および前記再生表示すべき画像の撮像時刻情報とを関連付けたレイアウト情報を記憶する記憶手段から前記レイアウト情報を読み出す読み出し手順と、前記読み出し手順によって読み出されたレイアウト情報の撮像時刻情報が特定の時刻を示している場合、前記読み出されたレイアウト情報の前記撮像装置の情報が示す撮像装置によって撮像された画像を記録する記録装置から、再生表示すべき画像を取得し、前記読み出し手順によって読み出されたレイアウト情報の撮像時刻情報が現在を示している場合、前記読み出されたレイアウト情報の前記撮像装置の情報が示す撮像装置から再生表示すべき画像を取得する取得手順と、前記読み出し手順によって読み出されたレイアウト情報の位置情報に基づいて、前記画面上の領域に前記取得手順によって取得された画像を再生表示させる制御手順とを実行させることを特徴とする。